(57)【要約】      （修正有）【課題】言葉が不自由な乳幼児から認知症の徘徊老齢者に至る広範囲の使用者が安全かつ簡易に使用でき、家族や介護者にとっても手間がかからない簡便かつ確実な位置検知用機器端末収納保持具を提供する。【解決手段】市販の薄型ＧＰＳ携帯端末と無線信号送信機Ａを左右勝手なく任意の靴内に自由に載置できる収納部１に保持し、上蓋部３で保護した上で靴中敷４を敷くように構成したことにより課題を解決している。【選択図】図２
0003204123.tif 000002
【実用新案登録請求の範囲】
【請求項１】
使用者の歩行に給する任意の靴内に装着する位置検知用機器端末を収納する保持具において、該保持具は収納部及び該収納部と平面形状が略同一の上蓋部から構成されてなり、該保持部は靴内踵部から土踏まず部の略中間部に及ぶ長さを有しかつ土踏まず部辺縁方向に踵部辺縁より薄く形成されてなり、該収納部略中央部には上記機器端末を収納保持する貫通孔または空洞部が開設されてなり、前記貫通孔または前記空洞部に位置検知用機器を収納して前記上蓋部を積載した状態の前記保持具を靴内踵部の内底層と中敷の中間に載置若しくは固着してなることを特徴とする位置検知用機器端末収納保持具。
【請求項２】
上記保持具は平面から見て靴の左右型のない同一外形形状であり該保持具略中央部に開設された上記貫通孔または上記空洞部に収納する位置検知用機器は直接にあるいはスペーサーホルダー等を介して靴の左右の一方にＧＰＳ携帯端末を靴の他の一方には無線信号送信機が収納されてなることを特徴とする位置検知用機器端末収納保持具。
【考案の詳細な説明】
【考案の詳細な説明】
【技術分野】
【０００１】市販のＧＰＳ携帯端末及び送信機を靴内に装着して使用者の現在位置情報を第三者が検索することにより、幼児や徘徊者あるいは言語表現を介しての意思疎通に問題の有る使用者に供するためのＧＰＳ携帯端末及び無線信号送信機の靴内収納保持具に関するものである。
【背景技術】
【０００２】  従来、例えば認知症障害や高齢者等が市販のＧＰＳ携帯端末を携帯保持することにより、迷子になった場合でもＧＰＳ測位により、インターネット経由で親族、介護者等が位置情報を検索して早期発見、早期保護する方法が知られており、私的あるいは公的な介護サービス活動として知られている。また本人の着衣あるいは手足等身体に直接ＧＰＳ端末を固定する手段等（特許文献１及び特許文献２）あるいはＧＰＳ携帯端末を踵に埋め込んだ専用の履物（特許文献３）や無線信号を発する送信機を靴底に埋め込んだ靴（特許文献４）等が知られている。
【先行技術文献】
【特許文献】
【０００３】
【特許文献１】登録実用新案  第３１９４３２０号公報
【特許文献２】特許公開２００３−２３９１１８号公報
【特許文献３】特許公開２００６−２２３４８０号公報
【特許文献４】特許公開２００４−３５７２６８号公報ＧＰＳ測位による位置検知の場合、介護者は検知用機器端末にアクセスしない限り端末使用者の位置情報を知る事ができず、例えば徘徊者が夜間等に人知れず徘徊を始めた等のケースでは介護者が気付くのが遅れてかなり広い範囲を捜索検知しなければならなくなるので徘徊者にはＧＰＳ携帯端末のみならず無線信号送信機を併用携帯させて設定しておいた距離から離れた場合には現在位置情報を無線信号として送信し介護者が徘徊者の位置情報を早期に検知する方法等が知られている。
しかしながら例えば認知症障害が進行した徘徊傾向が強い老人等の場合、必ずしもＧＰＳ端末や送信機を携帯して外出するとは限らず、所持品を持たずに徘徊してしまう場合も少なくないのが実情である。また例えば徘徊者の意志に関係なく着衣に上記端末等を固定しても徘徊者自身がこれを嫌悪して脱衣してしまう場合が多い。さらに身体に直接固定する場合には着脱の管理が難しく、あるいは本人が嫌がった場合に症状を増悪させる契機ともなりかねない。またＧＰＳ携帯端末や上記送信機を履物等に組込んであっても例えば認知障害者や高齢者の多くの場合には自己所有物や慣れ親しんだ被服履物に関する強い撞着心理があり上記の当該履物を与えられるままに率直に使用する事が少なく保護者や介護者との間で葛藤を生じさせるという問題点があった。
【考案の概要】
【考案が解決しようとする課題】
【０００４】  本考案の目的はこのような難点を解消するものであり、すなわち要介護者である使用者本人の慣れ親しんだ衣服履物や携帯品や身体的な不自由さを感じさせずに本人が現在履いている靴あるいは履く予定である靴の中に異物感を生じさせない程度に薄型の検知機器端末保持具を内装することにより、本人の意志の有無を問わず、安全かつ簡易であり効果の確実な位置情報検索手段を提供することにある。
【課題を解決するための手段】
【０００５】  請求項１に記載の考案によれば、本位置検知用機器端末収納保持具はあたかも靴の中敷（インソール）を土踏まず部で切断した後ろ半分に近似した平面形状の収納部と該収納部に載置する略同一平面形状の上蓋部及び該収納部に開設された開口（空洞）部と該開口部に勘合するスペーサーホルダーから構成されている。前記収納部の縦断面形状は踵辺縁においては前記機器端末より僅かに厚く、土踏まず辺縁方向に向かって薄く形成されていて、さらに前記収納部略中央部には前記機器端末を落し込む貫通孔あるいは空洞部が形成されており靴内底層上に載置した前記収納部の開孔（空洞）部に直接にあるいは必要に応じてスペーサーホルダーを介して前記機器端末を落し込んだ後に前記上蓋部を被せた上にインソールを被せることにより課題を解決している。【０００６】  請求項２に記載の考案によれば、本位置検知用機器端末収納保持具は靴のように左右勝手のない左右同一の平面形状であり、該収納保持具略中央に開設された開孔（空洞）部には直接にあるいは必要に応じてスペーサーホルダーを介して前記機器端末を収納できるので、例えば右足用の靴の内底に載置した前記収納保持具には比較的寸法の大きなＧＰＳ携帯端末を直接収納し左足用の靴の内底に載置した前記収納保持具にはスペーサーホルダーを介して比較的寸法の小さな無線信号送信機を収納することにより課題を解決している。【０００７】  前記収納部の断面形状は踵部で厚く、土踏まず部方向に順次薄くなるので段差や違和感がなくまた使用者の体重は主として踵略中央に垂直に近似してかかるので該収納部は靴中で安定した位置を占め、靴内底に接着や固定等は不要である。また前記上蓋部は硬質の厚さ程度の薄板であり、前記収納部に載置あるいは中敷（インソール）裏面に接着する等により使用者の荷重から内装した機器端末の破損を保護できるように構成することにより課題を解決している。当然の事ながら、前記機器端末の装着は左右いずれか一方の靴を使用し、使用日により左右交互に入れ替えても不都合はない。
【考案の効果】
【０００８】  すなわち、例えば認知症の徘徊者等に本収納保持具を使用する場合には、家族あるいは介護者が左右勝手が無いので徘徊者が使用している任意の靴の中敷（インソール）下に左右を選ばず任意に内装してから充電を済ませたＧＰＳ携帯端末及び無線信号送信機を徘徊者の各々一方の靴ごとの中敷と上蓋をめくり、各々の収納部の開口部に落とし込み、上蓋と中敷を元に戻すだけである。位置検知用機器端末の充電は２〜３週間程度であるので家族や介護者観察者にはそれ程大きな負担にはならない。徘徊者は外套、上着、携行品を紛失してしまう事例が報告されているが、履いていた靴まで紛失していた事例は少いことが知られている。本考案では、薄型のＧＰＳ携帯端末及び無線信号送信機を使用するので、靴の内底は比較的薄く、歩行に不安定感や不快感を有さず、徘徊者にとり、あるいは家族や介護者にとって手間暇がかからず簡易かつ有効に使用者の位置情報を検索できる構成となっている。【０００９】  前記収納部は、内装する検知用機器端末に負荷がかからない強靱性と、かつ人体に優しい僅かな弾力性を有する素材が相応しく、コルク集積材、ＥＶＡ樹脂、硬質エラストマー樹脂、ブタジェン樹脂等が想定される。また前記上蓋は内装する検知用機器端末を保護するため硬質薄板が望ましく例えば圧縮ボール紙芯材、樹脂含浸木材繊維板、ＦＲＰ板等が想定される。前記収納部は靴内底に接着、固定をしないので、使用者が他の靴を履く事を希望した場合でも即座に希望する靴内に設置でき、前記上蓋を中敷（インソール）裏面に接着した場合でも中敷ごと移動すれば良いので、使い勝手は極めて良好である。【００１０】  内装するＧＰＳ携帯端末の一例では寸法が横約３９、縦約４６、厚さ約１２、いずれもミリメートル、重さ約３０グラムであり、またスペーサーホルダーを介して内装する無線信号送信機は一例では寸法が直径約２８、厚さ約９、いずれもミリメートル、重さ約２０グラムであり使用者にとって負担になるものではない。またバッテリーの連続使用時間は約４００時間であり、家族や介護者が徘徊者の不使用時に電源を切ると充電回数を減らす事ができるのは当然のことである。
上述のように本考案のＧＰＳ携帯端末靴内収納保持具は、使用する本人に機器使用の負担感を感じさせず又、家族や介護者にとっても比較的容易かつ確実に使用できるものであり、万が一行方不明になった時の安全手段として極めて安心できるものである。また内装する上記位置検知用機器端末が小型軽量であるため成人のみならず、言葉が発達していない乳幼児の迷子対策としても安全、簡便かつ極めて効果的であるのは言うまでもない。
【実施例】
【００１１】  以下、添付図面に従って一実施例を説明する。［第１図］によって説明すると本図は無線信号送信機Ａをスペーサーホルダー２を介して開孔（空洞）部１ａに収納し上蓋部３を載置して位置検出用機器端末収納保持具１を使用者が履く靴内の中敷（インソール）４下に内装する前の状態を示す構造分解図による説明図である。【００１２】［第２図］によって説明すると、本図は［第１図］に示す無線信号送信機Ａを靴内に内装した使用状態を示す縦断面図による説明図である。すなわち靴の踵部上の５靴内底層上に１収納部が載置され、該収納部の１ａ開孔（空洞）部内にはスペーサーホルダー２を介して無線信号送信機Ａが内装されている。該収納部上には上蓋部３が重なりさらに靴中敷４が載置されている。収納部１は踵辺縁１ｃから土踏まず辺縁１ｂ方向に向かってなだらかに傾斜しているために靴中敷４が緩やかな曲線を描き、段差等がない。上蓋部３と靴中敷４の相互に接する面は接着する場合もあり得るものである。【００１３】［第３図］によって説明すると、本図は［第２図］に示す無線信号送信機Ａをスペーサーホルダー２を介して開孔（空洞）部１ａに収納した位置検出用機器端末収納保持具１を使用者が履く靴内底層５に載置した状態を示す平面図による説明図である。左足用の靴を想定した平面図であるが該保持具は左右勝手が無い同一形状であるので右足用の靴に装着しても自由である。【００１４】［第４図］によって説明すると本図はＧＰＳ携帯端末Ｂを直接に開孔（空洞）部１ａに収納し上蓋部３を載置して位置検出用機器端末収納保持具１を使用者が履く靴内の中敷（インソール）４下に内装する前の状態を示す構造分解図による説明図である。【００１５】［第５図］によって説明すると、本図は［第４図］に示すＧＰＳ携帯端末Ｂを靴内に内装した使用状態を示す縦断面図による説明図である。すなわち靴の踵部上の５靴内底層上に１収納部が載置され、該収納部の１ａ開孔（空洞）部内にはＧＰＳ携帯端末Ｂが直接内装されている。上蓋部３と靴中敷４の相互に接する面は接着する場合もあり得るものである。【００１６】［第６図］によって説明すると、本図は［第５図］に示すＧＰＳ携帯端末Ｂを直接開孔（空洞）部１ａに収納した位置検出用機器端末収納保持具１を使用者が履く靴内底層５に載置した状態を示す平面図による説明図である。右足用の靴を想定した平面図であるが該保持具は左右勝手が無い同一形状であるので左足用の靴に装着しても自由である。
【図面の簡単な説明】
【００１７】
【図１】本考案実施例の送信機を靴内に収納する状態を示す構造分解斜視図である。
【図２】本考案実施例の送信機を靴内に収納した使用状態を示す断面図による説明図である。
【図３】本考案実施例の送信機を靴内に収納した使用状態を示す平面図による説明図である。
【図４】本考案実施例のＧＰＳ携帯端末を靴内に収納する状態を示す構造分解斜視図である。
【図５】本考案実施例のＧＰＳ携帯端末を靴内に収納した使用状態を示す断面図による説明図である。
【図６】本考案実施例のＧＰＳ携帯端末を靴内に収納した使用状態を示す平面図による説明図である。
【符号の説明】
【００１８】    １    位置検知用機器端末収納保持具
１ａ  開孔（空洞）部
１ｂ  土踏まず辺縁
１ｃ  踵辺縁
２    スペーサーホルダー
Ａ    無線信号送信機
Ｂ    ＧＰＳ携帯端末
３    上蓋部
４    靴中敷（インソール）
５    靴内底層
６    靴外底
７    靴踵部
【図１】
0003204123.tif 000003
【図２】
0003204123.tif 000004
【図３】
0003204123.tif 000005
【図４】
0003204123.tif 000006
【図５】
0003204123.tif 000007
【図６】
0003204123.tif 000008
【手続補正書】
【提出日】平成28年2月20日(2016.2.20)
【手続補正１】
【補正対象書類名】実用新案登録請求の範囲
【補正対象項目名】全文
【補正方法】変更
【補正の内容】
【実用新案登録請求の範囲】
【請求項１】
使用者の歩行に給する任意の靴内に装着する位置検知用機器端末を収納する保持具において、該保持具は収納部及び該収納部と平面形状が略同一の上蓋部から構成されてなり、該保持具は靴内踵部から土踏まず部の略中間部に及ぶ長さを有しかつ土踏まず部辺縁方向に踵部辺縁より薄く形成されてなり、該収納部略中央部には上記機器端末を収納保持する貫通孔または空洞部が開設されてなり、前記貫通孔または前記空洞部に位置検知用機器を収納して前記上蓋部を積載した状態の前記保持具を靴内踵部の内底層と中敷の中間に載置若しくは固着してなることを特徴とする位置検知用機器端末収納保持具。
【請求項２】
前記保持具は平面から見て靴の左右型のない同一外形形状であり、該保持具略中央部に開設された前記貫通孔または前記空洞部に収納する位置検知用機器は直接にあるいはスペーサーホルダー等を介して靴の左右の一方にＧＰＳ携帯端末を、靴の他の一方には無線信号送信機が収納されてなることを特徴とする請求項１記載の位置検知用機器端末収納保持具。